(57)【特許請求の範囲】
【請求項１】
位置決め対象物を載置して該位置決め対象物と共に移動する可動ステージと、該可動ステージに計測用の光ビームを照射すると共に該可動ステージから戻される光ビームを受光して該可動ステージの所定方向への変位を検出する干渉計と、を備えたステージ装置であって、
前記干渉計から射出される光ビームの横シフト量、又は振れ角の変化量の少なくとも一方を検出する参照回転角検出系と
前記可動ステージから戻される光ビームの横シフト量、又は振れ角の変化量の少なくとも一方を検出する光ビーム検出系と、
前記参照回転角検出系の検出結果と前記光ビーム検出系の検出結果とに基づいて前記可動ステージの回転角を算出する演算系と、を有することを特徴とするステージ装置。
【請求項２】
請求項１記載のステージ装置であって、
前記光ビーム検出系は、前記可動ステージから戻される光ビームの所定の第１の方向への横シフト量、又は振れ角の変化量の少なくとも一方を検出する第１の光ビーム検出系と、
前記可動ステージから戻される光ビームの前記第１の方向に直交する第２の方向への横シフト量、又は振れ角の変化量の少なくとも一方を検出する第２の光ビーム検出系と、からなり、
前記演算系は、前記第１及び第２の光ビーム検出系の検出結果より前記可動ステージの２軸の周りの回転角を算出することを特徴とするステージ装置。
【請求項３】
請求項１又は２記載のステージ装置であって、
前記光ビーム検出系は、前記可動ステージから戻される光ビームの横シフト量を検出し、
前記演算系は、前記光ビーム検出系で検出される横シフト量、及び前記干渉計で計測される前記可動ステージの変位より前記可動ステージの回転角を算出することを特徴とするステージ装置。
【請求項４】
請求項１、２、又は３記載のステージ装置であって、
前記光ビーム検出系で検出される光ビームの横シフト量、又は振れ角の変化量に基づいて、前記干渉計における参照用光ビームと計測用光ビームとの重なり量が増加するように前記光ビームの光路を補正する光路補正系を設けたことを特徴とするステージ装置。
【請求項５】
マスク又は基板よりなる位置決め対象物を載置して該位置決め対象物と共に２次元的に移動する可動ステージと、
該可動ステージに所定の第１の方向に沿って計測用の光ビームを照射すると共に前記可動ステージから戻される光ビームを受光して該可動ステージの前記第１の方向への変位を検出する第１の干渉計と、
前記可動ステージに前記第１の方向に直交する第２の方向に沿って計測用の光ビームを照射すると共に前記可動ステージから戻される光ビームを受光して前記可動ステージの前記第２の方向への変位を検出する第２の干渉計と、を備え、
前記可動ステージによって前記マスク又は前記基板を２次元的に位置決めして、前記基板上に前記マスクのパターンを転写する露光装置であって、
前記第１の干渉計から射出される光ビームの２次元的な横シフト量、又は２次元的な振れ角の変化量の少なくとも一方を検出する第１の参照回転角検出系と、
前記可動ステージから前記第１の干渉計に戻される光ビームの２次元的な横シフト量、又は２次元的な振れ角の変化量の少なくとも一方を検出する第１の光ビーム検出系と、
前記第２の干渉計から射出される光ビームの２次元的な横シフト量、又は２次元的な振れ角の変化量の少なくとも一方を検出する第２の参照回転角検出系と、
前記可動ステージから前記第２の干渉計に戻される光ビームの横シフト量、又は振れ角の変化量の少なくとも一方を検出する第２の光ビーム検出系と、
前記第１及び第２の参照回転角検出系の検出結果と前記第１及び第２の光ビーム検出系の検出結果とに基づいて前記可動ステージの３軸の周りの回転角を算出する演算系と、を有することを特徴とする露光装置。
【請求項６】
位置決め対象物を載置して移動する可動ステージと、
該可動ステージに計測用光ビームを照射すると共に、該可動ステージで反射した前記計測用光ビームを受光して該可動ステージの所定方向の変位を検出する干渉計と、を備えたステージ装置であって、
前記干渉計から射出される光ビームの横シフト量、又は振れ角の変化量の少なくとも一方を検出する参照回転角検出系と
前記可動ステージで反射した前記計測用光ビームの横シフト量、又は振れ角の変化量の少なくとも一方を検出する光ビーム検出系と、
前記参照回転角検出系の検出結果と前記光ビーム検出系の検出結果とに基づいて前記可動ステージを制御する制御系とを有することを特徴とするステージ装置。
【請求項７】
前記光ビーム検出系は、前記所定方向と直交する方向を回転軸とする前記可動ステージの回転に対応した前記計測用光ビームの横シフト量を検出することを特徴とする請求項６に記載のステージ装置。
【請求項８】
前記制御系は、前記光ビーム検出系の検出結果に基づいて、前記所定方向と直交する方向を回転軸とする前記可動ステージの回転量を算出し、該回転量に基づいて前記可動ステージを制御することを特徴とする請求項７に記載のステージ装置。
【請求項９】
前記制御系は、前記光ビーム検出系の検出結果に基づいて前記可動ステージの位置を補正して位置決めすることを特徴とする請求項６から８のいずれか一項に記載のステージ装置。
【請求項１０】
マスクを載置して移動可能なマスクステージと、基板を載置して移動可能な基板ステージとを有し、前記マスクステージと前記基板ステージとにより前記マスクと前記基板との位置決めを行なって前記マスクに形成されたパターンを前記基板に露光する露光装置において、
前記マスクステージと前記基板ステージとの少なくとも一方として請求項６から９の何れか一項に記載のステージ装置が用いられていることを特徴とする露光装置。
【発明の詳細な説明】
【０００１】
【発明の属する技術分野】
本発明は、例えば半導体素子、液晶表示素子、撮像素子（ＣＣＤ等）、又は薄膜磁気ヘッド等を製造するためのリソグラフィ工程でマスクパターンをウエハ等の基板上に転写するための露光装置のステージに使用して好適なステージ装置、及びこのステージ装置を備えた露光装置に関する。
【０００２】
【従来の技術】
従来より、半導体素子等を製造する際に、マスクとしてのレチクルのパターンをレジストが塗布されたウエハ（又はガラスプレート等）上に転写する露光装置が使用されている。露光装置としては、ステッパーのような一括露光型と共に、ステップ・アンド・スキャン方式のような走査露光型も使用されつつある。更に、電子線露光装置等も使用されるようになっている。これらの露光装置では、レチクル及びウエハの位置決め、又は連続走査を高精度に行うためのステージが備えられている。
【０００３】
図９（ａ）は、従来の一括露光型の投影露光装置のウエハ側のステージを示す平面図、図９（ｂ）はその正面図であり、図９（ｂ）に示すように、不図示のレチクルを透過した露光光は、投影光学系５０を介してウエハ５１上のフォトレジストにそのレチクルのパターン像を形成する。ウエハ５１は不図示のウエハホルダに真空吸着され、このウエハホルダが試料台５２上に固定され、試料台５２はウエハステージ５５上に固定され、ウエハステージ５５は定盤５６上にエアベアリングを介して、投影光学系５０の光軸ＡＸに垂直な平面内で２次元的に移動できるように載置されている。光軸ＡＸに沿った方向をＺ軸、Ｚ軸に垂直な平面の直交座標系をＸ軸、Ｙ軸とすると、ウエハステージ５５は、試料台５２（ウエハ５１）をＺ方向に微動すると共に、Ｘ方向及びＹ方向に位置決めする。
【０００４】
また、図９（ａ）に示すように、試料台５２（ウエハ５１）の２次元的な位置を計測するため、試料台５２の端部にそれぞれ反射面がＸ軸及びＹ軸に垂直になるように２個の細長い平板状の移動鏡５３Ｘ及び５３Ｙが固定され、移動鏡５３ＸにはＸ軸の干渉計本体５４ＸよりＹ方向に間隔Ｄ１で２軸の計測用のレーザビーム５７Ｘ，５８Ｘが照射されている。そして、反射されたレーザビームと対応する不図示の参照用ビームとの干渉光を干渉計本体５４Ｘ内で光電検出することによって、レーザビーム５７Ｘ，５８Ｘの照射点での試料台５２の変位が計測される。この場合、それら２つの変位の平均値より試料台５２のＸ座標が算出され、それら２つの変位の差分を間隔Ｄ１で除算することによって、試料台５２のＺ軸に平行な軸の周りでの回転角（ヨーイング量）が算出される。同様に、移動鏡５３ＹにはＹ軸の干渉計本体５４ＹよりＸ方向に間隔Ｄ１で２本の計測用のレーザビーム５７Ｙ，５８Ｙが照射され、これらのレーザビーム５７Ｙ，５８Ｙの照射点での変位の平均値より試料台５２のＹ座標が算出され、それらの変位の差分を間隔Ｄ１で除算することによってヨーイング量が算出される。また、レーザビーム５７Ｘ，５８Ｘの中心線、及びレーザビーム５７Ｙ，５８Ｙの中心線はそれぞれ光軸ＡＸを通過している。
【０００５】
更に、図９（ｂ）に示すように、干渉計本体５４Ｘから移動鏡５３Ｘに対して、レーザビーム５７ＸとのＺ方向の間隔がＤ２で計測用のレーザビーム５９Ｘが照射され、レーザビーム５９Ｘの照射点での変位も検出されている。そして、レーザビーム５７Ｘ及び５９Ｘを介して計測される各変位の差分を間隔Ｄ２で除算することによって、試料台５２のＹ軸に平行な軸の周りでの回転角（Ｙ方向へのローリング量）が算出される。同様に、Ｙ軸の干渉計本体５４ＹからもＺ方向に間隔Ｄ２で２本の計測用のレーザビームが照射され、これらによって計測される変位の差分を間隔Ｄ２で除算することによって、試料台５２のＸ軸に平行な軸の周りでの回転角（Ｙ方向へのピッチング量）が算出される。即ち、図９に示す従来の干渉計システムは、Ｘ軸に関して少なくとも３軸のシングルパスの干渉計、及びＹ軸に関しても少なくとも３軸のシングルパスの干渉計より構成されていることになる。
【０００６】
また、従来より図９に示すような干渉計システムを使用して、移動鏡５３Ｘ，５３Ｙの曲がり量を計測することも行われている。例えばＹ軸の移動鏡５３Ｙの曲がり計測を行う場合には、ウエハステージ５５を駆動することによって、試料台５２を例えば連続的にＸ方向に移動させ、ほぼ継続して干渉計本体５４Ｙでレーザビーム５７Ｙ，５８Ｙを介して計測される変位の差分ΔＹＬを位置Ｘの関数として求めると共に、干渉計本体５４Ｘでレーザビーム５７Ｘ，５８Ｘを介して計測される変位より試料台５２のヨーイング量θＺ（θＺはＺ軸の周りでの回転量）を位置Ｘの関数として求める。この場合、図１０（ａ）のように、移動鏡５３Ｙの曲がりを誇張して表すと、レーザビーム５７Ｙ，５８Ｙを介して検出される変位の差分ΔＹＬを間隔Ｄ１で除算して得られる傾斜角から、そのヨーイング量θＺを差し引いた結果が、その位置での移動鏡５３Ｙの曲がり角Δθとなる。そこで、各点での曲がり角Δθに、この曲がり角Δθの算出毎のＸ方向への変位量ΔＸＬを乗じて得られる値を積算することによって、図１０（ｂ）に示すように、移動鏡５３Ｙの反射面の位置ΔＹＭがＸ方向の位置に応じて決定され、この位置ΔＹＭの変化が移動鏡５３Ｙの曲がり量を表す。
【０００７】
また、図９において、試料台５２をＸ方向に所定の比較的大きな間隔で移動させながら、各静止点でそれぞれ移動鏡５３Ｙの曲がり角Δθを算出し、これらの曲がり角Δθをスプライン関数等を用いて補間することによって、移動鏡５３Ｙの全範囲での曲がり量を求める方法も提案されている。
【０００８】
【発明が解決しようとする課題】
上記の如く従来の投影露光装置においては、ウエハ側のステージの試料台５２（ウエハ５１）のＸ方向、Ｙ方向の位置のみならず、その試料台５２のヨーイング量を計測するために、Ｘ軸の干渉計本体５４Ｘから対応する移動鏡５３Ｘに対してＹ方向に間隔Ｄ１で２軸のシングルパスのレーザビーム５７Ｘ，５８Ｘが照射されている。同様に、例えばＸ軸の移動鏡５３Ｘの曲がり量の計測時に、Ｙ軸の干渉計本体５４Ｙでもヨーイング量を計測できるように、この干渉計本体５４Ｙから対応する移動鏡５３Ｙに対しても、Ｘ方向に間隔Ｄ１で２軸のシングルパスのレーザビーム５７Ｙ，５８Ｙが照射されている。そのため、それらのレーザビームが移動鏡５３Ｘ，５３Ｙから外れないようにするためには、移動鏡５３Ｘ，５３Ｙ、及び試料台５２を本来必要な移動ストロークよりもその間隔Ｄ１を超える長さだけ長くしておく必要があった。
【０００９】
図１１は、図９（ａ）の試料台５２を−Ｙ方向に移動する場合を示し、この図１１において、Ｘ軸の移動鏡５３ＸのＹ方向の長さをＹ１として、移動鏡５３Ｘの−Ｙ方向の端部にレーザビーム５７Ｘが照射されている状態から、試料台５２を位置５２Ａで示すように、移動鏡５３Ｘの＋Ｙ方向の端部にレーザビーム５８Ｘが照射される状態まで−Ｙ方向に移動する際の移動量をＹ２とする。この移動量Ｙ２はＹ方向の移動ストロークであり、長さＹ１と移動ストロークＹ２とはほぼ次の関係にある。
【００１０】
Ｙ１＝Ｙ２＋Ｄ１      （１）
同様に、移動鏡５３Ｙの長さも２軸のレーザビームの間隔Ｄ１分だけ長くする必要がある。このように移動鏡５３Ｘ，５３Ｙが長くなると、試料台５２を大きくする必要があり、結果として図９（ｂ）のウエハステージ５５上の可動部の重量が大きくなって、ステッピング速度等の制御特性を高められないという不都合があった。更に、試料台５２が大型であると、それを駆動するウエハステージ５５、ひいては投影露光装置の設置面積（フットプリント）が大きくなるという不都合があった。これに関して、レーザビーム５７Ｘ，５８ＸのＹ方向の間隔Ｄ１を短くすれば、（１）式より移動鏡５３Ｘの長さＹ１を短くできるが、間隔Ｄ１を短くすると、ヨーイング量の計測精度が低下してしまう。
【００１１】
また、従来の投影露光装置では、図９（ｂ）に示すように、試料台５２のピッチング量、又はローリング量を計測するために、移動鏡５３Ｘに対してＺ方向に間隔Ｄ２で２軸のシングルパスのレーザビームを照射していた。しかしながら、この間隔Ｄ２は移動鏡５３Ｘの厚さよりも広くできないと共に、移動鏡５３Ｘはそれ程厚くできないために、ピッチング量、又はローリング量の計測精度をあまり高められないという不都合があった。そのため、従来は試料台５２の傾きの計測装置をウエハステージ５５の内部に設けた例もある。
【００１２】
更に、従来の投影露光装置で、図１０（ａ）に示すように、間隔Ｄ１の２軸のレーザビーム５７Ｙ，５８Ｙを介して得られる計測値の差分より移動鏡５３Ｙの曲がり量を計測する場合、その移動鏡５３Ｙの曲がりのピッチ（周期）が例えばその間隔Ｄ１に一致すると、その曲がり量が正確に評価できなくなるという不都合があった。即ち、図１０（ｃ）に示すように、移動鏡５３Ｙの曲がりのピッチが間隔Ｄ１に一致する場合には、レーザビーム５７Ｙ，５８Ｙによって計測される変位は等しくなる。また、図１０（ｄ）に示すように、図１０（ｃ）の状態から移動鏡５３Ｙが半ピッチ移動したとしても、レーザビーム５７Ｙ，５８Ｙによって計測される変位は等しくなるため、最終的に位置Ｘに応じて計測される移動鏡５３Ｙの反射面の位置ΔＹＭは、図１０（ｅ）に示すように一定となり、移動鏡５３Ｙの曲がり量は正確に計測されなくなる。更に、移動鏡５３Ｙの曲がりのピッチがレーザビームの間隔Ｄ１より小さくなると、移動鏡５３Ｙの曲がりの位相ずれが発生するので、実際の曲がり量とは異なる曲がり量が計測されてしまう。
【００１３】
本発明は斯かる点に鑑み、位置決め対象物と共に移動する可動部の所定方向への変位を計測するための光ビームの他に、特に回転角を計測するための光ビームを用いることなく、その可動部の回転角を計測できるステージ装置を提供することを第１の目的とする。
更に本発明は、位置決め対象物と共に移動する可動部に光ビームを照射してその可動部の変位を計測できると共に、その可動部における光ビームの反射部の曲がり量に或る程度小さいピッチの周期性がある場合でも、その曲がり量を正確に検出できるステージ装置を提供することを第２の目的とする。
【００１４】
更に本発明は、マスク又は基板と共に移動する可動部の所定方向への変位を計測するための光ビームの他に、特に回転角を計測するための光ビームを用いることなく、その可動部のヨーイング量等の回転角を計測できる露光装置を提供することを第３の目的とする。
【００１５】
【課題を解決するための手段】
本発明によるステージ装置は、位置決め対象物（Ｗ）を載置してこの位置決め対象物と共に移動する可動ステージ（８）と、この可動ステージに計測用の光ビーム（ＬＸ１）を照射すると共にこの可動ステージから戻される光ビームを受光してこの可動ステージの所定方向への変位を検出する干渉計（１２Ｘ，１７Ｘ，１８Ｘ，２１Ｘ，２２Ｘ，１４Ｘ）と、を備えたステージ装置であって、その干渉計から射出される光ビーム（ＬＸ２）の横シフト量、又は振れ角の変化量の少なくとも一方を検出する参照回転角検出系（１６Ｘ）と、可動ステージ（８）から戻される光ビーム（ＬＸ１）の横シフト量、又は振れ角の変化量の少なくとも一方を検出する光ビーム検出系（１５Ｘ）と、その参照回転角検出系の検出結果とその光ビーム検出系の検出結果とに基づいて可動ステージ（８）の回転角を算出する演算系（４３）と、を有するものである。
【００１６】
斯かる本発明によれば、１軸の干渉計の変位検出用の光ビーム（ＬＸ１）を可動ステージ（８）に照射した場合に、可動ステージ（８）が回転（傾斜）していると、反射される光ビームの角度がその回転角に応じて変化することを利用して、その可動ステージの回転角を検出する。この際に、その１軸の干渉計がシングルパス方式の干渉計である場合には、反射される光ビームの振れ角（傾斜角）が可動ステージ（８）の回転角に対応するため、その振れ角よりその回転角を求めることができる。
【００１７】
一方、その１軸の干渉計が計測分解能を高めるためにダブルパス方式の干渉計である場合には、その光ビーム（ＬＸ１）は所定の光学系と可動ステージ（８）との間を往復するため、可動ステージ（８）が回転している場合に戻される光ビームはその回転角に応じて横シフトするようになる。従って、その横シフト量から可動ステージ（８）の回転角を求めることができる。何れの場合でも、変位計測用の光ビームを回転角計測用の光ビームとして兼用できるため、可動ステージ（８）を小型化し、軽量化できる。
また、参照回転角検出系によって可動ステージの回転と無関係な光ビーム自体の横シフト量又は振れ角の変化量の少なくとも一方を検出し、演算系により光ビーム検出系の検出結果を補正しているので、可動ステージの回転角を高精度に検出することができる。
【００１８】
また、可動ステージ（８）をその所定方向に直交する方向に移動しながら、その光ビーム検出系を介して可動ステージ（８）の回転角を検出することによって、可動ステージ（８）内の反射部の曲がり量が検出できる。この際に、可動ステージ（８）に照射される光ビームは、シングルパス方式であれば１本の光ビームであり、ダブルパス方式であれば所定の狭い間隔で往復する光ビームであるため、その反射部の曲がり量に或る程度小さい（即ち、ダブルパス方式であれば、往復する光ビームの間隔よりは大きい）ピッチの周期性がある場合でも、その曲がり量を正確に検出できる。
【００１９】
この場合、光ビーム検出系（１５Ｘ）は、一例として可動ステージ（８）から戻される光ビームの所定の第１の方向への横シフト量、又は振れ角の変化量の少なくとも一方を検出する第１の光ビーム検出系（３０Ａ）と、可動ステージ（８）から戻される光ビームのその第１の方向に直交する第２の方向への横シフト量、又は振れ角の変化量の少なくとも一方を検出する第２の光ビーム検出系（３０Ｂ）と、からなり、その演算系（４３）は、それら第１及び第２の光ビーム検出系の検出結果より可動ステージ（８）の２軸の周りの回転角を算出するものである。これは、１軸の光ビームの２方向への横シフト量、又は振れ角に基づいて、可動ステージ（８）の２軸の周りの回転角を検出できることを意味する。
【００２０】
また、その光ビーム検出系（１５Ｘ）は、一例として可動ステージ（８）から戻される光ビームの横シフト量を検出するものであり、この場合、その演算系（４３）は、その光ビーム検出系で検出される横シフト量、及びその干渉計で計測されるその可動ステージの変位よりその可動ステージの回転角を算出するようにしてもよい。例えばその干渉計がダブルパス方式であれば、可動ステージ（８）の回転角をθ（ｒａｄ）、その干渉計内でダブルパスの光路を形成する光学部材（１８Ｘ）から可動ステージ（８）までの間隔をＬ１、所定のオフセットの間隔をＬ２として、その光ビーム検出系で検出される横シフト量をΔＹとすると、この横シフト量ΔＹはほぼ次式で表される。
【００２１】
ΔＹ＝４（Ｌ１＋Ｌ２）θ      （２）
この場合、可動ステージ（８）が或る基準位置にあるときのその光学部材（１８Ｘ）と可動ステージ（８）との間隔Ｌ0 を予め求めておき、その干渉計で計測される可動ステージ（８）の変位をΔＬとすると、Ｌ１＝Ｌ0 ＋ΔＬの関係があるため、（２）式より回転角θが正確に求められる。
【００２２】
また、その光ビーム検出系で検出される光ビームの横シフト量、又は振れ角の変化量に基づいて、その干渉計における参照用光ビーム（ＬＸ２）と計測用光ビーム（ＬＸ１）との重なり量が増加するようにその光ビームの光路を補正する光路補正系（２０Ｘ，２３Ｘ）を設けることが望ましい。これは、検出される光ビームの横シフト量、又は振れ角を相殺するようにその光ビームの光路を補正することを意味する。
【００２３】
また、本発明による露光装置は、マスク（Ｒ）又は基板（Ｗ）よりなる位置決め対象物を載置してこの位置決め対象物と共に２次元的に移動する可動ステージ（８）と、可動ステージ（８）に所定の第１の方向（Ｘ方向）に沿って計測用の光ビーム（ＬＸ１）を照射すると共にこの可動ステージから戻される光ビームを受光してこの可動ステージのその第１の方向への変位を検出する第１の干渉計（１２Ｘ，１７Ｘ，１８Ｘ，２１Ｘ，２２Ｘ，１４Ｘ）と、可動ステージ（８）にその第１の方向に直交する第２の方向（Ｙ方向）に沿って計測用の光ビーム（ＬＹ１）を照射すると共にその可動ステージから戻される光ビームを受光してその可動ステージのその第２の方向への変位を検出する第２の干渉計（１２Ｙ，１７Ｙ，１８Ｙ，２１Ｙ，２２Ｙ，１４Ｙ）と、を備え、可動ステージ（８）によってそのマスク又はその基板を２次元的に位置決めして、その基板上にそのマスクのパターンを転写する露光装置である。
【００２４】
そして、この露光装置は、その第１の干渉計から射出される光ビームの２次元的な横シフト量、又は２次元的な振れ角の変化量の少なくとも一方を検出する第１の参照回転角検出系（１６Ｘ）と、可動ステージ（８）からその第１の干渉計に戻される光ビームの２次元的な横シフト量、又は２次元的な振れ角の変化量の少なくとも一方を検出する第１の光ビーム検出系（１５Ｘ）と、その第２の干渉計から射出される光ビームの２次元的な横シフト量、又は２次元的な振れ角の変化量の少なくとも一方を検出する第２の参照回転角検出系と、可動ステージ（８）からその第２の干渉計に戻される光ビームの横シフト量、又は振れ角の変化量の少なくとも一方を検出する第２の光ビーム検出系（１５Ｙ）と、それら第１及び第２の光ビーム検出系の検出結果に基づいて可動ステージ（８）の３軸の周りの回転角を算出する演算系（４３）と、を有するものである。
【００２５】
本発明の露光装置によれば、変位（座標）計測用の干渉計から可動ステージ（８）に照射される光ビームが、可動ステージ（８）の回転角計測用にも使用される。また、１軸の光ビームを使用すると、可動ステージ（８）の２軸の周りの回転角が計測できるため、２方向の変位を計測するための２軸の光ビームを使用する場合には、各光ビームでそれぞれ２軸の周りの回転角が計測でき、且つそれらの内の１軸の回転角が共通であるため、結果として可動ステージ（８）のヨーイング、ピッチング、及びローリングよりなる３軸の周りの回転角が計測できる。しかも、変位計測用の光ビーム以外の光ビームは使用されないため、可動ステージ（８）が小型軽量化されて、可動ステージ（８）の移動速度や応答速度等の制御性が向上すると共に、露光装置の設置面積（フットプリント）を小さくできる。
本発明の別の観点によるステージ装置は、位置決め対象物（Ｗ）を載置して移動する可動ステージ（８）と、該可動ステージに計測用光ビーム（ＬＸ１）を照射すると共に、該可動ステージで反射した計測用光ビームを受光して該可動ステージの所定方向の変位を検出する干渉計（１２Ｘ，１７Ｘ，１８Ｘ，２１Ｘ，２２Ｘ，１４Ｘ）と、を備えたステージ装置であって、その干渉計から射出される光ビームの横シフト量、又は振れ角の変化量の少なくとも一方を検出する参照回転角検出系（１６Ｘ）と、その可動ステージで反射した計測用光ビームの横シフト量、又は振れ角の変化量の少なくとも一方を検出する光ビーム検出系（１５Ｘ）と、その参照回転角検出系の検出結果と光ビーム検出系の検出結果とに基づいてその可動ステージを制御する制御系（４３）とを有するものである。これによれば、光ビーム検出系の検出結果によって可動ステージの姿勢変化を計測することができ、制御系は該検出結果に基づいて可動ステージを制御することができる。
この場合において、光ビーム検出系（１５Ｘ）は、その所定方向と直交する方向を回転軸とする可動ステージ（８）の回転に対応した計測用光ビーム（ＬＸ１）の横シフト量を検出するものとするのが望ましい。これによれば、干渉計が計測する変位方向と直交する方向を回転軸とする可動ステージの回転量を検出することができる。また、制御系（４３）は、光ビーム検出系（１５Ｘ）の検出結果に基づいて、その所定方向と直交する方向を回転軸とする可動ステージ（８）の回転量を算出し、該回転量に基づいて前記ステージを制御するものとすることができる。これによれば可動ステージの回転量に応じて可動ステージを高精度に制御することができる。また、制御系（４３）は、光ビーム検出系（１５Ｘ）の検出結果に基づいて可動ステージ（８）の位置を補正して位置決めするものとすることができる。これによれば、光ビーム検出系によって検出された可動ステージの姿勢変化に応じて高精度に可動ステージの位置決めを行なうことができる。
また、本発明による別の露光装置は、マスク（Ｒ）を載置して移動可能なマスクステージ（２）と、基板（Ｗ）を載置して移動可能な基板ステージ（８，９，１０）とを有し、そのマスクステージとその基板ステージとによりマスクと基板との位置決めを行なってマスクに形成されたパターンを基板に露光する露光装置において、マスクステージと基板ステージとの少なくとも一方として本発明によるステージ装置が用いられているものである。これによれば、マスクと基板との高精度な位置合わせを行なうことができる。
【００２６】
【発明の実施の形態】
以下、本発明の実施の形態の一例につき図１〜図６を参照して説明する。本発明によるステージ装置は、電子線露光装置、ステッパーのような一括露光型の投影露光装置、又はステップ・アンド・スキャン方式のような走査露光型の投影露光装置等の何れにも使用できるが、以下ではステップ・アンド・スキャン方式の投影露光装置に適用した例につき説明する。
【００２７】
図１は本例のステップ・アンド・スキャン方式の投影露光装置を示し、この図１において露光時には、光源、フライアイレンズ、視野絞り、コンデンサレンズ等を含む照明光学系１からの水銀ランプのｉ線、又はエキシマレーザ光等の露光光ＩＬが、レチクルＲのパターン面（下面）のスリット状の照明領域を照明する。露光光ＩＬのもとで、レチクルＲの照明領域内のパターンの像が投影光学系ＰＬを介して所定の投影倍率β（βは１／４，１／５等）で、フォトレジストが塗布されたウエハＷ上のスリット状の露光領域内に投影露光される。以下、投影光学系ＰＬの光軸ＡＸに平行にＺ軸を取り、その光軸ＡＸに垂直な平面内で図１の紙面に平行にＸ軸を、図１の紙面に垂直にＹ軸を取って説明する。
【００２８】
先ず、レチクルＲはレチクルステージ２上に真空吸着によって保持され、レチクルステージ２はレチクルベース３上でエアベアリングを介して浮上した状態で、リニアモータによってＹ方向（走査方向）に連続移動すると共に、Ｘ方向、Ｙ方向、及び回転方向にレチクルＲの位置の微調整を行う。レチクルステージ２の側面に配置された移動鏡（実際には直交する２枚の移動鏡よりなる）４に外部のレーザ干渉計５から計測用のレーザビームが照射され、レーザ干渉計５より照射される参照用のレーザビームと移動鏡４から反射されるレーザビームとの干渉光を、レーザ干渉計５内の光電検出器で受光することによって、レチクルステージ２（レチクルＲ）の２次元的な位置が計測されている。この計測結果がレチクルステージ制御系６に供給され、レチクルステージ制御系６は、装置全体の動作を統轄制御する主制御系７の制御のもとで、レチクルステージ２の位置や移動速度を制御する。
【００２９】
一方、ウエハＷは、ウエハホルダを兼用する試料台８上に真空吸着によって保持され、試料台８はＺチルトステージ９上に固定され、Ｚチルトステージ９はＸＹθステージ１０上に載置され、ＸＹθステージ１０は、定盤１１上にエアベアリングを介して浮上した状態で、リニアモータによってＸ方向、Ｙ方向（走査方向）、及び回転方向に試料台８（ウエハＷ）の移動及び位置決めを行う。Ｚチルトステージ９、ＸＹθステージ１０、及び定盤１１よりウエハステージが構成されている。Ｚチルトステージ９はウエハＷのＺ方向の位置（フォーカス位置）の制御及び傾斜角の制御（レベリング）を行う。そのため、投影光学系ＰＬの側面に光学式で斜入射方式の多点のオートフォーカスセンサ４４が配置され、オートフォーカスセンサ４４によって、ウエハＷの表面の露光領域内及びこれに対して走査方向に先行する先読み領域内の複数の検出点でのフォーカス位置が検出され、検出結果が合焦制御系４５に供給されている。合焦制御系４５は、主制御系７の制御のもとで、供給されたフォーカス位置の情報からウエハＷの露光領域内の表面を投影光学系ＰＬの像面に合焦させるための、Ｚチルトステージ９のフォーカス位置及び傾斜角の制御量をウエハＷの位置に対応して算出し、この制御量に基づいてオートフォーカス方式、及びオートレベリング方式でＺチルトステージ９の動作を制御する。この合焦のための機構、及び動作の一例は特開平６−２８３４０３号公報に詳細に開示されている。
【００３０】
また、本例のウエハホルダを兼用する試料台８は、低膨張率の石英、又はガラスセラミックス等から形成され、試料台８の−Ｘ方向及び＋Ｙ方向の側面は鏡面加工されて、それぞれＸ軸用のミラー面８ｘ及びＹ軸用のミラー面８ｙとなっている（図２参照）。ミラー面８ｘ及び８ｙはそれぞれＸ軸及びＹ軸にほぼ垂直な反射面であり、互いに直交している。ミラー面８ｘ及び８ｙはそれぞれ干渉計用の移動鏡として作用し、本例の試料台８は、２軸の移動鏡を兼用しているとみなすことができる。更に、投影光学系ＰＬの−Ｘ方向の側面下部にミラー面８ｘと実質的に平行な反射面を有するＸ軸の参照鏡１４Ｘが固定され、その＋Ｙ方向の側面下部にミラー面８ｙと実質的に平行な反射面を有するＹ軸の参照鏡１４Ｙ（図２参照）が固定されている。
【００３１】
そして、図１において、Ｘ軸の干渉計本体１２Ｘから射出されたレーザビームが分岐合成光学系１３ＸによってそれぞれＸ軸に平行な計測用のレーザビーム（以下、「計測用ビーム」と呼ぶ）ＬＸ１、及び参照用のレーザビーム（以下、「参照ビーム」と呼ぶ）ＬＸ２に分岐され、計測用ビームＬＸ１は試料台８のＸ軸のミラー面８ｘに入射し、参照用ビームＬＸ２はＸ軸の参照鏡１４Ｘに入射する。また、計測用ビームＬＸ１は分岐合成光学系１３Ｘとミラー面８ｘとの間を２往復して干渉計本体１２Ｘに戻り、参照用ビームＬＸ２も分岐合成光学系１３Ｘと参照鏡１４Ｘとの間を２往復して干渉計本体１２Ｘに戻る（詳細後述）。即ち、干渉計本体１２Ｘ、分岐合成光学系１３Ｘ、及び参照鏡１４ＸよりＸ軸のダブルパス方式のレーザ干渉計が構成され、干渉計本体１２Ｘでは、戻って来る計測用ビームＬＸ１及び参照用ビームＬＸ２の干渉光を光電変換して得た検出信号を補間及び積算処理することによって、参照鏡１４Ｘを基準としてミラー面８ｘのＸ方向への変位を求め、得られた変位をウエハステージ制御系４３に供給する。ウエハステージ制御系４３では、その変位に所定のオフセットを加算して試料台８のＸ座標を求める。
【００３２】
この場合、計測用ビームＬＸ１及び参照用ビームＬＸ２としては、一例として波長６３３ｎｍのＨｅ−Ｎｅレーザビームをそれぞれ所定の周波数Δｆ及び−Δｆで周波数変調した光束が使用され、且つ両ビームは一例としてそれぞれ直線偏光で偏光方向が直交している。この方式にて両光束の分割、合成を行うことで、ヘテロダイン干渉方式で変位計測がなされる。また、本例はダブルパス方式であるため、計測用ビームＬＸ１の波長をλとすると、電気的な補間を行わないときには試料台８の変位を分解能λ／４で検出できる。これはシングルパス方式での分解能（λ／２）の１／２の分解能である。更に、本例では電気的な補間処理を加えて最終的な分解能を例えばλ／４０（≒１０ｎｍ）〜λ／４００（≒１ｎｍ）程度にしている。
【００３３】
また、本例では、Ｘ軸のダブルパス方式のレーザ干渉計と共に、Ｙ軸のダブルパス方式のレーザ干渉計も設けられている。
図２は、図１の投影露光装置のウエハ側のステージのレーザ干渉計システムを示す。但し、図２では分かり易くするため、一部の光学部材を省略し、且つ例えばプリズム型のビームスプリッタを平板状のビームスプリッタで表している。この図２において、Ｙ軸の干渉計本体１２Ｙから射出されたレーザビームが、分岐合成光学系１３ＹによってそれぞれＹ軸に平行な計測用ビームＬＹ１、及び参照ビームＬＹ２に分岐され、計測用ビームＬＹ１は試料台８のＹ軸のミラー面８ｙに入射し、参照用ビームＬＹ２はＹ軸の参照鏡１４Ｙに入射する。また、計測用ビームＬＹ１は分岐合成光学系１３Ｙとミラー面８ｙとの間を２往復して干渉計本体１２Ｙに戻り、参照用ビームＬＹ２も分岐合成光学系１３Ｙと参照鏡１４Ｙとの間を２往復して干渉計本体１２Ｙに戻る。干渉計本体１２Ｙでは、戻って来る計測用ビームＬＹ１及び参照用ビームＬＹ２の干渉光を光電変換して得た検出信号を補間及び積算処理することによって、参照鏡１４Ｙを基準としてミラー面８ｙのＹ方向への変位を求め、得られた変位を図１のウエハステージ制御系４３に供給する。ウエハステージ制御系４３では、その変位に所定のオフセットを加算して試料台８のＹ座標を求める。
【００３４】
また、図２に示すように、Ｘ軸の計測用ビームＬＸ１の光軸（２往復する際の中心線）はＸ軸に平行で投影光学系ＰＬの光軸ＡＸを通る直線上にあり、Ｙ軸の計測用ビームＬＹ１の光軸もＹ軸に平行で光軸ＡＸを通る直線上にある。従って、本例では投影光学系ＰＬの光軸ＡＸの位置、即ち実質的にスリット状の露光領域の中心（露光中心）の位置がアッベ誤差の無い状態で高精度に計測できる。
【００３５】
図１に戻り、ウエハステージ制御系４３は、主制御系７の制御のもとで、干渉計本体１２Ｘ，１２Ｙを介して計測される試料台８のＸ座標、Ｙ座標に基づいてＸＹθステージ１０の移動速度や位置決め動作を制御する。露光時には、先ずＸＹθステージ１０をステッピング駆動することによって、ウエハＷ上の次に露光されるショット領域を走査開始位置に設定する。その後、レチクルステージ２を介してレチクルＲを＋Ｙ方向（又は−Ｙ方向）に速度ＶR で走査するのと同期して、ＸＹθステージ１０を介してウエハＷを−Ｙ方向（又は＋Ｙ方向）に速度ＶW(＝β・ＶR ）（ここでβとは投影光学系ＰＬの投影倍率）で走査することによって、当該ショット領域にレチクルＲのパターン像が走査露光される。
【００３６】
また、不図示であるが、本例の投影露光装置にはレチクルＲの位置、及びウエハＷの位置を計測するためのアライメントセンサが備えられ、このアライメントセンサの計測結果に基づいて、レチクルＲとウエハＷ上の各ショット領域との位置合わせが行われる。
さて、上述のように本例では、Ｘ方向及びＹ方向についてそれぞれ１軸のダブルパス方式のレーザ干渉計を用いて、試料台８（ウエハＷ）のＸ座標及びＹ座標が計測され、この計測結果に基づいて試料台８の位置決め、及び走査露光が行われている。しかしながら、例えばその走査露光時に、試料台８でＺ軸に平行な軸の周りの回転（ヨーイング）があると、レチクルＲとウエハＷとの間で重ね合わせ誤差が生じることになる。また、本例では計測用ビームＬＸ１，ＬＹ１の高さと、ウエハＷの表面との間にＺ方向の間隔があるため、試料台８にＸ軸に平行な軸の周りの回転（走査方向へのピッチング）、又はＹ軸に平行な軸の周りの回転（走査方向へのローリング）があると、アッベ誤差によってウエハＷの実際の位置と、干渉計本体１２Ｘ，１２Ｙを介して計測される座標との間に位置ずれが生ずる。そこで、本例では常時、試料台８のヨーイング量、ピッチング量、及びローリング量を計測するようにしている。
【００３７】
以下では、試料台８のＸ軸、Ｙ軸、及びＺ軸に平行な軸の周りの回転角を計測するための機構につき詳細に説明する。本例では、変位計測用のダブルパス方式のレーザ干渉計の計測用ビームＬＸ１，ＬＹ１を用いて回転角の計測も行うため、そのレーザ干渉計の構成を含めて図２〜図６を参照して詳細に説明する。
図２において、Ｘ軸の干渉計本体１２Ｘから射出されたレーザビームは、分岐合成光学系１３Ｘにおいて偏光ビームスプリッタ１７Ｘに入射し、偏光ビームスプリッタ１７Ｘで反射されるＳ偏光の参照用ビームＬＸ２と、その偏光ビームスプリッタ１７Ｘを透過してＸ軸に平行に進むＰ偏光の計測用ビームＬＸ１とに分岐される。後者の計測用ビームＬＸ１はダブルパスユニット１８Ｘに入射する。
【００３８】
図３（ａ）は図２の分岐合成光学系１３Ｘを＋Ｙ方向に見た正面図、図３（ｂ）は図３（ａ）のダブルパスユニット１８Ｘの平面図であり、図３（ｂ）に示すように、ダブルパスユニット１８Ｘは、偏光ビームスプリッタ２６、この射出面に被着された１／４波長板２７、及び偏光ビームスプリッタ２６の側面に被着されたコーナキューブ２８より構成されている。ダブルパスユニット１８Ｘに入射した計測用ビームＬＸ１は、一度偏光ビームスプリッタ２６及び１／４波長板２７を透過して、円偏光状態で試料台８のミラー面８ｘで反射される。反射された計測用ビームＬＸ１は、１／４波長板２７を経てＳ偏光となり偏光ビームスプリッタ２６で反射された後、コーナキューブ２８で反射されて再び偏光ビームスプリッタ２６で反射され、１／４波長板２７を経て円偏光状態で再びミラー面８ｘで反射される。反射された計測用ビームＬＸ１は、１／４波長板２７を介してＰ偏光となって偏光ビームスプリッタ２６を透過して反射率の小さいビームスプリッタ１９Ｘに入射する。
【００３９】
図３（ａ）に示すように、ビームスプリッタ１９Ｘで反射された計測用ビームＬＸ１はステージ回転角検出系１５Ｘに入射し、ビームスプリッタ１９Ｘを透過した計測用ビームＬＸ１は、傾斜角可変の平行平板ガラス２０Ｘを経た後、偏光ビームスプリッタ１７Ｘを透過して干渉計本体１２Ｘに戻る。平行平板ガラス２０Ｘは、駆動装置２３Ｘによって直交する２軸の周りに所望の角度だけ傾斜できるように構成され、駆動装置２３Ｘの動作は図１のウエハステージ制御系４３によって制御されている。平行平板ガラス２０Ｘの傾斜角は、計測用ビームＬＸ１と参照用ビームＬＸ２との重なり量が最大になるように制御される。
【００４０】
図２に戻り、偏光ビームスプリッタ１７Ｘで反射された参照用ビームＬＸ２は、ミラー（実際には反射プリズム）２１ＸでＸ軸に平行な方向に反射された後、不図示の偏光方向を９０°回転するための１／２波長板を介してＰ偏光となってダブルパスユニット２２Ｘに入射する。このダブルパスユニット２２Ｘは、図３（ｂ）のダブルパスユニット１８Ｘと同じ構成であり、参照用ビームＬＸ２はダブルパスユニット２２Ｘと参照鏡１４Ｘとの間を２往復した後、ダブルパスユニット２２Ｘを通過する。分かり易くするため、図２では省略されているが、実際には図３（ａ）に示すように、ダブルパスユニット２２Ｘの−Ｘ方向側の射出面には反射率の小さいビームスプリッタ２４Ｘが配置され、ビームスプリッタ２４Ｘで反射された参照用ビームＬＸ２は参照回転角検出系１６Ｘに入射し、ビームスプリッタ２４Ｘを透過した参照用ビームＬＸ２は、不図示の１／２波長板を経てＳ偏光となってミラー２１Ｘで反射された後、偏光ビームスプリッタ１７Ｘで反射されて干渉計本体１２Ｘに戻る。
【００４１】
この場合、図２において、試料台８が例えばＺ軸に平行な軸（例えば光軸ＡＸ）の周りに角度（ヨーイング量）θＺだけ回転すると、ミラー面８ｘで最初に反射される計測用ビームＬＸ１は、Ｙ方向に傾斜して反射される。ところが、この傾斜角（振れ角）はダブルパスユニット１８Ｘとの間を２往復することによって横シフト量に変換される。
【００４２】
図４は、ダブルパスユニット１８Ｘにおいて、ミラー面８ｘの回転角が計測用ビームＬＸ１の横シフトを生ずることの説明図であり、この図４において、計測用ビームＬＸ１の光軸とダブルパスユニット１８Ｘ内の偏光ビームスプリッタ２６の反射面との交点から、ミラー面８ｘまでの距離をＬ１、コーナキューブ２８の頂点までの距離をＬ２とする。距離Ｌ１は試料台８のＸ座標の関数であるため、以下では距離Ｌ１をＬ１（Ｘ）とする。また、ミラー面８ｘが回転していない状態では、計測用ビームＬＸ１は実線の光路に沿ってダブルパスユニット１８Ｘとミラー面８ｘとの間を２往復するものとして、ミラー面８ｘがＺ軸に平行な軸の周りに角度θ（ｒａｄ）だけ回転すると、１回目に反射される計測用ビームＬＸ１の方向は、点線の光路Ｑ３で示すように角度θだけ傾斜する。ところが、コーナキューブ２８では、入射光束と射出光束とが平行であるため、このように傾斜した計測用ビームＬＸ１は、ダブルパスユニット１８Ｘからミラー面８ｘに反射される際に同じ角度だけ傾斜している。従って、ミラー面８ｘから２回目に反射される計測用ビームＬＸ１の方向は、点線の光路Ｐ３で示すように入射時と平行であり、且つミラー面８ｘが回転していない場合と比べてＹ方向にΔＹだけ横シフトしている。計測用ビームＬＸ１は、ダブルパスユニット１８Ｘとミラー面８ｘとの間を２往復するため、横シフト量ΔＹは近似的に次のようになる。
【００４３】
ΔＹ＝４（Ｌ１（Ｘ）＋Ｌ２）θ      （３）
同様に、ミラー面８ｘがＹ軸に平行な軸の周りに角度（Ｙ方向へのローリング量）θだけ回転している際にも、ダブルパスユニット１８Ｘとミラー面８ｘとの間を２往復して戻される計測用ビームＬＸ１は、Ｚ方向に（３）式と同じ量だけ横シフトする。
【００４４】
図２に戻り、ミラー面８ｘにヨーイング量θＺが発生して、ミラー面８ｘで反射される計測用ビームＬＸ１が光路Ｑ３で示すようにＹ方向に傾斜すると、上述のように、ダブルパスユニット１８Ｘを通過した後、ビームスプリッタ１９Ｘで反射されてステージ回転角検出系１５Ｘに入射する計測用ビームＬＸ１の位置は、光路Ｐ３で示すようにＹ方向に横シフトする。同様に、ミラー面８ｘにローリング量θＹが発生して、ミラー面８ｘで反射される計測用ビームＬＸ１が光路Ｑ２で示すようにＺ方向に傾斜すると、ダブルパスユニット１８Ｘを通過してビームスプリッタ１９Ｘで反射されてステージ回転角検出系１５Ｘに入射する計測用ビームＬＸ１の位置は、光路Ｐ２で示すようにＸ方向に横シフトする。
【００４５】
但し、レーザ光源の揺らぎ等に起因して、干渉計本体１２Ｘから射出されるレーザビーム自体の横シフト及び傾きが発生しても、ステージ回転角検出系１５Ｘに入射する計測用ビームＬＸ１の位置が横シフトする。そこで、レーザビーム自体の横シフト及び傾きに起因する横シフトの補正を行うために、ステージ回転角検出系１５Ｘでは、入射する計測用ビームＬＸ１の初期位置に対するＸ方向への横シフト量ΔＸ１、及びＹ方向への横シフト量ΔＹ１の他に、その計測用ビームＬＸ１の初期の傾斜角（振れ角）に対するＸ方向への傾斜角ΔφＸ１（ｒａｄ、以下同様）、及びＹ方向への傾斜角ΔφＹ１を計測し、計測結果を図１のウエハステージ制御系４３に供給する。ステージ回転角検出系１５Ｘの構成については後述する。
【００４６】
更に、図２において、ステージ回転角検出系１５Ｘによって計測される計測用ビームＬＸ１の見かけ上の横シフト量ΔＸ１，ΔＹ１から、レーザビーム自体の角度変化や横ずれに起因する横シフト量を分離するために、図３（ａ）に示すように、参照回転角検出系１６Ｘにおいて参照用ビームＬＸ２の２次元的な横シフト量ΔＸ２，ΔＹ２、及び２次元的な傾斜角ΔφＸ２，ΔφＹ２を計測し、計測結果を図１のウエハステージ制御系４３に供給する。ウエハステージ制御系４３では、一例として次のように、レーザビームの傾斜の影響を除去した後の参照用ビームＬＸ２の正確な横シフト量ΔＸR ，ΔＹR を求める。即ち、干渉計本体１２Ｘ内のレーザビームの射出点から参照回転角検出系１６Ｘ内での横シフト量の検出面までの距離をＬ0 とすると、ほぼ次のようになる。
【００４７】
ΔＸR ＝ΔＸ２−Ｌ0・ΔφＸ２      （４Ａ）
ΔＹR ＝ΔＹ２−Ｌ0・ΔφＹ２      （４Ｂ）
次に、ウエハステージ制御系４３は、計測用ビームＬＸ１の見かけ上の横シフト量ΔＸ１，ΔＹ１から、参照用ビームＬＸ２の正確な横シフト量ΔＸR ，ΔＹR 、及び計測用ビームＬＸ１の傾きに起因する横シフト量を差し引いて、ミラー面８ｘの回転角のみに起因する横シフト量ΔＸM ，ΔＹM を求める。この際に、干渉計本体１２Ｘ内のレーザビームの射出点からステージ回転角検出系１５Ｘ内での横シフト量の検出面までの距離を、試料台８のＸ座標の関数Ｌ（Ｘ）で表すと、計測用ビームＬＸ１の傾斜角ΔφＸ１，ΔφＹ１に起因するＸ方向、Ｙ方向への横シフト量はそれぞれほぼＬ（Ｘ）・ΔφＸ１、及びＬ（Ｘ）・ΔφＹ１となる。従って、ウエハステージ制御系４３は、計測用ビームＬＸ１のミラー面８ｘの回転角のみに起因する横シフト量ΔＸM ，ΔＹM をそれぞれ次式より算出する。
【００４８】
ΔＸM ＝ΔＸ１−ΔＸR −Ｌ（Ｘ）・ΔφＸ１      （５Ａ）
ΔＹM ＝ΔＹ１−ΔＹR −Ｌ（Ｘ）・ΔφＹ１      （５Ｂ）
なお、ステージ回転角検出系１５Ｘで検出される計測用ビームＬＸ１の傾斜角ΔφＸ１，ΔφＹ１は、それぞれ原理上は参照回転角検出系１６Ｘで検出される参照用ビームＬＸ２の傾斜角ΔφＸ２，ΔφＹ２と等しいため、（５Ａ）式、（５Ｂ）式における傾斜角ΔφＸ１，ΔφＹ１を傾斜角ΔφＸ２，ΔφＹ２で置き換えてもよい。この場合には、ステージ回転角検出系１５Ｘには、計測用ビームＬＸ１の振れ角を検出する機能を持たせる必要がない。また、両方に参照回転角検出系を設け、その検出結果の差を求めることでミラー面８ｘと８ｙとの直交度変化を調べることができる。
【００４９】
また、図４に示すように、計測用ビームＬＸ１の光軸からコーナキューブ２８の頂点までの距離Ｌ２は予め求めて記憶され、その光軸と偏光ビームスプリッタ２６の反射面との交点からミラー面８ｘまでの距離Ｌ１は、干渉計本体１２Ｘで計測される試料台８のＸ座標、及び所定のオフセットの和として求めることができる。これらより、ウエハステージ制御系４３は、（３）式の横シフト量ΔＹに（５Ａ）式の横シフト量ΔＸM を代入することによって、ローリング量θＹを算出すると共に、（３）式の横シフト量ΔＹに（５Ｂ）式の横シフト量ΔＹM を代入することによって、ヨーイング量θＺを算出する。
【００５０】
また、図２に示すように、Ｙ軸の分岐合成光学系１３Ｙにおいても、Ｘ軸の分岐合成光学系１３Ｘと対称に、干渉計本体１２Ｙから射出されたレーザビームが偏光ビームスプリッタ１７ＹでＹ軸に平行に進む計測用ビームＬＹ１と、参照用ビームＬＹ２とに分岐され、計測用ビームＬＹ１は、ダブルパスユニット１８Ｙと試料台８のＹ軸のミラー面８ｙとの間を２往復した後、ビームスプリッタ１９Ｙ、傾斜角可変の平行平板ガラス２０Ｙ及び偏光ビームスプリッタ１７Ｙを経て干渉計本体１２Ｙに戻る。また、ビームスプリッタ１９Ｙで反射された計測用ビームＬＹ１がＹ軸のステージ回転角検出系１５Ｙに入射し、ここで横シフト量、及び傾斜角（振れ角）が検出される。一方、参照用ビームＬＹ２は、ミラー２１Ｙで反射されて、ダブルパスユニット２２ＹとＹ軸の参照鏡１４Ｙとの間を２往復した後、ミラー２１Ｙ及び偏光ビームスプリッタ１７Ｙを経て干渉計本体１２Ｙに戻る。この場合にも、不図示であるが、ダブルパスユニット２２Ｙとミラー２１Ｙとの間にビームスプリッタが配置され、このビームスプリッタで反射された参照用ビームＬＹ２が図３（ａ）の参照回転角検出系１６Ｘと同じ構成のＹ軸の参照回転角検出系に入射し、ここでも横シフト量及び傾斜角が検出される。
【００５１】
このとき、図２において、試料台８がＹ方向へのピッチングを起こして、Ｘ軸に平行な軸の周りに角度（ピッチング量）θＸだけ回転すると、ミラー面８ｙで１回目に反射される計測用ビームＬＹ１は、点線の光路Ｑ５で示すようにＺ方向に傾斜する。そして、ダブルパスユニット１８Ｙを経てステージ回転角検出系１５Ｙに入射する計測用ビームＬＹ１の位置は、光路Ｐ５で示すようにＹ方向に横シフトする。この場合にも、レーザビーム自体の横シフト及び傾斜の影響を除いた計測用ビームＬＹ１の横シフト量は、（３）式と同様に、ミラー面８ｙのＹ座標、及びピッチング量θＸを用いて表されるため、ウエハステージ制御系４３はその横シフト量からピッチング量θＸを算出する。
【００５２】
また、試料台８がＺ軸に平行な軸の周りに角度（ヨーイング量）θＺだけ回転した場合には、Ｙ軸のステージ回転角検出系１５Ｙでも計測用ビームＬＹ１がＸ方向に横シフトを起こすため、Ｙ軸のステージ回転角検出系１５Ｙで検出される計測用ビームＬＹ１のＸ方向への横シフト量に基づいて、ウエハステージ制御系４３はそのヨーイング量θＺを計算する。通常は、Ｘ軸のステージ回転角検出系１５Ｘでの計測用ビームＬＸ１の横シフト量に基づいて計算されるヨーイング量θＺが使用されるが、例えば試料台８をＹ方向に移動することによって、Ｘ軸のミラー面８ｘの曲がり量を計測するような場合には、Ｙ軸のステージ回転角検出系１５Ｙでの計測用ビームＬＹ１の横シフト量に基づいて計算されるヨーイング量θＺが使用される。
【００５３】
なお、Ｘ軸の干渉計本体１２Ｘ、及びＹ軸の干渉計本体１２Ｙで、共通のレーザ光源からのレーザビームを使用するようにしてもよい。この場合には、２つの干渉計本体１２Ｘ，１２Ｙから射出されるレーザビーム自体の横シフト量、及び傾斜角は共通であるため、例えばＹ軸の分岐合成光学系１３Ｙに参照用ビームＬＹ２の横シフト量、及び傾斜角を検出するための参照回転角検出系を設ける必要はなく、光学系の構成が簡素化される。
【００５４】
上述のように、本例ではステージ回転角検出系１５Ｘ，１５Ｙ及び参照回転角検出系１６Ｘにおいて、入射する光ビームの２次元的な横シフト量及び傾斜角が検出されている。光ビームの横シフト量を検出するための簡便な方法としては、例えば受光面が４個に分割された４分割受光素子、又は入射する光束の光量分布の２次元的な重心位置を検出できる光電検出器、又はＣＣＤよりなる撮像素子等を用いる方法がある。同様に、光ビームの傾斜角を検出するためには、レンズ系の光学的フーリエ変換面（瞳面）において、そのような４分割受光素子、光電検出器、又はＣＣＤよりなる撮像素子等を用いて光ビームの横シフト量を計測すればよい。但し、本例ではより高精度に光ビームの横シフト量、及び傾斜角を検出するため、以下のように２光束レーザ干渉方式を用いる。代表的に、Ｘ軸のステージ回転角検出系１５Ｘの構成につき図５を参照して説明する。
【００５５】
図５は、ステージ回転角検出系１５Ｘの構成を示し、この図５において、入射した直線偏光の計測用ビームＬＸ１は、ハーフミラー２９Ａによって２分割されて、一方の光束は第１の横シフト傾斜角検出系３０Ａに入射し、他方の光束は、第２の横シフト傾斜角検出系３０Ｂに入射する。後者の横シフト傾斜角検出系３０Ｂは、前者の横シフト傾斜角検出系３０Ａを９０°回転したものである。横シフト傾斜角検出系３０Ａ内において、入射した光束は、１／４波長板３１Ａにより円偏光となり、ハーフミラー２９Ｂにより２つの光束に分割される。
【００５６】
ハーフミラー２９Ｂを透過した光束（これも「計測用ビームＬＸ１」と呼ぶ）は、複屈折プリズム４０によってほぼ対称に広がるようにＰ偏光の第１光束ｂ１、及びＳ偏光の第２光束ｂ２に分割される。第１光束ｂ１、及び第２光束ｂ２は、１／４波長板３１Ｂにて円偏光に戻された後、第１リレーレンズ４１Ａを経て互いに平行な光束となる。そして、第１光束ｂ１は、音響光学素子３３Ｂに入射して所定の周波数Ｆで周波数変調され、第２光束ｂ２、及び周波数変調された第１光束ｂ１は、第２リレーレンズ４１Ｂを介して所定ピッチの回折格子３５Ｂ上に、所定の交差角で集光される。周波数変調によって、回折格子３５Ｂ上にはピッチ方向に流れる干渉縞が形成される。本例では、回折格子３５Ｂのピッチはその干渉縞のピッチの２倍になるように設定してある。なお、ビート周波数を下げるために、第１光束ｂ１及び第２光束ｂ２を互いに駆動周波数が所定量だけ異なる音響光学素子で周波数変調してもよい。
【００５７】
この結果、回折格子３５Ｂによる第１光束ｂ１の＋１次回折光、及び第２光束ｂ２の−１次回折光が、平行に干渉光ｂ３として回折格子３５Ｂから射出される。干渉光ｂ３は、周波数Ｆで強度が変化するビート光であり、回折格子３５Ｂからはそれ以外の０次光等も射出される。これらの回折光は、集光レンズ３６Ｂを経て瞳フィルタ３７Ｂに入射し、±１次回折光よりなる干渉光ｂ３のみが瞳フィルタ３７Ｂの開口を通過して光電検出器３８Ｂで受光され、光電検出器３８Ｂで干渉光ｂ３を光電変換して得られる周波数Ｆのビート信号が信号処理系３９に供給される。信号処理系３９内には音響光学素子３３Ｂの駆動回路も組み込まれており、信号処理系３９は、例えばその駆動回路の周波数Ｆの駆動信号と、光電検出器３８Ｂから供給される周波数Ｆのビート信号との位相差ＲＥＦ１（ｒａｄ）を求める。
【００５８】
この場合、複屈折プリズム４０内の計測用ビームＬＸ１の入射位置と、回折格子３５Ｂ上の２光束ｂ１，ｂ２の集光位置とは、リレーレンズ４１Ａ，４１Ｂに関して共役である。従って、図６（ａ）に示すように、複屈折プリズム４０内の計測用ビームＬＸ１の入射位置が実線の位置から点線で示す位置まで横ずれすると、回折格子３５Ｂ上での２光束ｂ１，ｂ２の集光位置は位置Ｂ１からＢ２に横ずれして、上述の位相差ＲＥＦ１が変化する。この場合、回折格子３５ＢのピッチをＰ１とすると、所定の係数ｋ１を用いて計測用ビームＬＸ１の横シフト量（これをΔＸ１とする）は、次のように表すことができる。そこで、信号処理系３９は、次式より求めた横シフト量ΔＸ１をウエハステージ制御系４３に供給する。
【００５９】
ΔＸ１＝ｋ１・Ｐ１・ＲＥＦ１／（２π）      （６）
また、図５において、ハーフミラー２９Ｂにて反射された光束（これも「計測用ビームＬＸ１」と呼ぶ）は、ハーフミラー２９Ｃ及びミラー３２により所定の間隔を持って平行に進む第１光束ａ１、及び第２光束ａ２に分割される。そして、第１光束ａ１はｆθレンズ３４に入射し、第２光束ａ２は音響光学素子３３Ａによって周波数Ｆの周波数変調を受けた後にｆθレンズ３４に入射し、ｆθレンズ３４を通過した２光束ａ１，ａ２は、所定ピッチの回折格子３５Ａ上に、所定の交差角で集光される。周波数変調によって、回折格子３５Ａ上にはピッチ方向に流れる干渉縞が形成され、回折格子３５Ａのピッチはその干渉縞のピッチの２倍になるように設定してある。
【００６０】
この結果、回折格子３５Ａによる第１光束ａ１の＋１次回折光、及び第２光束ａ２の−１次回折光が、平行に干渉光ａ３として回折格子３５Ａから射出される。干渉光ａ３は周波数Ｆで強度が変化するビート光であり、回折格子３５Ａから射出される種々の回折光は、集光レンズ３６Ａを経て瞳フィルタ３７Ａに入射し、±１次回折光よりなる干渉光ａ３のみが瞳フィルタ３７Ａの開口を通過して光電検出器３８Ａで受光され、光電検出器３８Ａで干渉光ａ３を光電変換して得られる周波数Ｆのビート信号が信号処理系３９に供給される。信号処理系３９内には音響光学素子３３Ａの駆動回路も組み込まれており、信号処理系３９は、一例としてその駆動回路の周波数Ｆの駆動信号と、光電検出器３８Ａから供給される周波数Ｆのビート信号との位相差ＲＥＦ２（ｒａｄ）を求める。
【００６１】
この場合、計測用ビームＬＸ１の入射位置であるハーフミラー２９Ｃの分割面に対して、ｆθレンズ３４によって回折格子３５Ａの配置面はほぼ光学的フーリエ変換面（瞳面）となっており、ハーフミラー２９Ｃに入射する計測用ビームＬＸ１の傾斜角が、回折格子３５Ａでは横シフト量に変換される。従って、図６（ｂ）に示すように、ハーフミラー２９Ｃに対する計測用ビームＬＸ１の傾斜角が実線の光路から点線で示す光路に変化すると、回折格子３５Ａ上での２光束ａ１，ａ２の集光位置は位置Ａ１からＡ２に横ずれして、上述の位相差ＲＥＦ２が変化する。回折格子３５ＡのピッチをＰ２とすると、所定の係数ｋ２を用いて計測用ビームＬＸ１の傾斜角（これをΔφＸ１とする）は、次のように表すことができる。そこで、信号処理系３９は、次式より求めた傾斜角ΔφＸ１をウエハステージ制御系４３に供給する。
【００６２】
ΔφＸ１＝ｋ２・Ｐ２・ＲＥＦ２／（２π）      （７）
また、ステージ回転角検出系１５Ｘ内で、ハーフミラー２９Ａで分割された他方の光束は第２の横シフト傾斜角検出系３０Ｂに入射し、ここでは横シフト傾斜角検出系３０Ａで検出される横シフト量及び傾斜角に直交する方向への計測用ビームＬＸ１の横シフト量ΔＹ１、及び傾斜角ΔφＹ１が検出され、検出結果がウエハステージ制御系４３に供給される。同様にして、図２のＹ軸のステージ回転角検出系１５Ｙ、及び図３（ａ）の参照回転角検出系１６Ｘにおいても、２光束干渉方式でそれぞれ入射する計測用ビーム、又は参照用ビームの横シフト量、及び傾斜角（振れ角）が検出される。
【００６３】
上述のように本例では、図２の干渉計本体１２Ｘ，１２Ｙから試料台８に照射される変位計測用の計測用ビームＬＸ１，ＬＸ２を利用して、試料台８のヨーイング量θＺ，ピッチング量θＸ、及びローリング量θＹが常時計測されている。この場合ウエハステージ制御系４３では、走査露光時にそのヨーイング量θＺを相殺するように、図１のウエハステージのＸＹθステージ１０を介して試料台８を回転する。これによって、レチクルＲとウエハＷとの間に高い重ね合わせ精度が得られる。
【００６４】
また、試料台８のピッチング量θＸ及びローリング量θＹが発生すると、図２において、ウエハＷの表面と計測用ビームＬＸ１，ＬＹ１とのＺ方向の間隔をδＺとして、Ｘ方向にδＺ・θＹ、Ｙ方向にδＺ・θＸのアッベ誤差が発生する。そこで、ウエハステージ制御系４３は、それらのアッベ誤差を相殺するようにＸＹθステージ１０を介してウエハＷのＸ方向、Ｙ方向の位置を補正する。これによって、ウエハＷの高精度な位置決めが行われる。この場合、例えば図２に示すように、本例では１軸の計測用ビームＬＸ１，ＬＹ１を利用して試料台８の傾斜角が計測されているため、試料台８のミラー面８ｘのＸ方向の幅、及びミラー面８ｙのＹ方向の幅の全部がほぼ移動ストロークとなっている。
【００６５】
なお、本例ではダブルパス方式であるため、計測用ビームＬＸ１，ＬＹ１はそれぞれ対応するミラー面との間を２往復しているが、この際の往復する計測用ビームの光路の間隔は、従来例のように２軸のシングルパスのレーザビームの間隔に比べればかなり狭く、計測用ビームＬＸ１，ＬＹ１の広がりは無視できる程度である。従って、従来例と同等の移動ストロークを得ればよいのであれば、移動鏡、即ち本例では試料台８のミラー面８ｘ，８ｙを小さくでき、ひいては試料台８を小型、軽量化できる。従って、試料台８の移動速度等の制御性を高めることができると共に、投影露光装置の設置面積（フットプリント）を小さくできる。
【００６６】
また、従来は例えば移動鏡のＺ方向の幅が狭く、Ｚ方向に２軸の計測用ビームを照射して試料台のピッチング量、及びローリング量を計測する余地がないときには、図１のＺチルトステージ９に相当するステージ内に傾斜角計測機構（デジタルマイクロメータ等）を設けて、間接的に試料台の傾斜角を計測し、この傾斜角に基づいてウエハＷの位置を補正するようなことも行われていた。この方式では、ステージの機構が複雑化すると共に、傾斜角の計測結果の処理が煩雑であった。これに対して、本例では試料台８の傾斜角が直接計測されているため、ステージ機構を簡素化した上で、高精度にウエハＷの位置制御を行うことができる。また、移動鏡としてのミラー面８ｘ，８ｙの厚さが薄い場合でも、高精度にピッチング量やローリング量を計測できる。
【００６７】
更に、このような動作と並行に、図１のオートフォーカスセンサ４４を介して検出されるウエハＷのフォーカス位置の情報に基づいて、Ｚチルトステージ９を駆動することによって、オートフォーカス方式、及びオートレベリング方式でウエハＷの表面が投影光学系ＰＬの像面に合焦されている。この際に、Ｚチルトステージ９の動作は、オートフォーカスセンサ４４の計測結果のみに基づいて行うことができるため、より高精度、且つより高い追従速度で合焦を行うことができる。
【００６８】
次に、本例の投影露光装置で移動鏡、即ち試料台８のミラー面８ｘ，８ｙの曲がり量を計測する場合の動作の一例につき図２を参照して説明する。例えば、Ｘ軸の移動鏡としてのミラー面８ｘの曲がり量を計測する場合には、図１のＸＹθステージ１０を駆動することによって、Ｘ軸の干渉計本体１２Ｘで計測される試料台８のＸ座標を一定値に維持した状態で、且つＹ軸のステージ回転角検出系１５Ｙによって計測される試料台８のヨーイング量θＺを例えば０にした状態で、試料台８をＹ方向に所定間隔で移動させていく。そして、Ｙ方向の各計測点でＸ軸のステージ回転角検出系１５Ｘを介して試料台８のヨーイング量、即ちこの場合にはミラー面８ｘの傾斜角θi(ｉ＝１，２，…）を計測し、この傾斜角θi にＹ方向への移動の間隔δＹを乗ずることによって、各計測点から次の計測点に対するミラー面８ｘの変位量δＹ・θi を算出し、この変位量δＹ・θi を積算することによって、ミラー面８ｘの反射面の曲がり量が求められる。
【００６９】
同様に、Ｙ軸のミラー面８ｙの曲がり量を計測する場合には、Ｘ軸のステージ回転角検出系１５Ｘで計測されるミラー面８ｘのヨーイング量θＺを０にした状態で、試料台８をＸ方向に移動させ、各計測点でＹ軸のステージ回転角検出系１５Ｙを介してミラー面８ｙの傾斜角を計測すればよい。この場合、本例の計測用ビームＬＸ１，ＬＹ１はダブルパス方式であるが、その２回の往復の光路の間隔は、通常の移動鏡の曲がりのピッチに比べればかなり狭いため、そのミラー面８ｘの曲がりの周期性に依らずに高精度にその曲がり量を計測できる。
【００７０】
次に、本発明の実施の形態の他の例につき図７及び図８を参照して説明する。図２の実施の形態がダブルパス方式のレーザ干渉計を使用しているのに対して、本例はシングルパス方式のレーザ干渉計を使用するものであり、図７において、図２に対応する部分には同一符号を付してその詳細説明を省略する。
図７は、本例の投影露光装置のウエハ側のステージのレーザ干渉計システムを示し、この図７において、Ｘ軸の干渉計本体４２Ｘから射出されたレーザビームは、偏光ビームスプリッタ１７ＸによってＸ軸の計測用ビームＬＸ１、及び参照用ビームＬＸ２に分かれ、計測用ビームＬＸ１は、ビームスプリッタ１９Ｘを介して試料台８のミラー面８ｘに照射される。そして、ミラー面８ｘで反射された計測用ビームＬＸ１は、ビームスプリッタ１９Ｘ及び偏光ビームスプリッタ１７Ｘを介して干渉計本体４２Ｘに戻り、ビームスプリッタ１９Ｘで反射された計測用ビームＬＸ１がステージ回転角検出系１５Ｘに入射している。
【００７１】
また、参照用ビームＬＸ２は、ミラー２１Ｘで反射され、投影光学系ＰＬの側面の参照鏡１４Ｘで反射された後、再びミラー２１Ｘ及び偏光ビームスプリッタ１７Ｘを介して干渉計本体４２Ｘに戻り、干渉計本体４２Ｘでは戻された計測用ビームＬＸ１及び参照用ビームＬＸ２の干渉光を光電変換して、参照鏡１４Ｘを基準としたミラー面８ｘのＸ方向への変位を計測する。なお、不図示であるが、参照鏡１４Ｘとミラー２１Ｘとの間にも、図３（ａ）のようなビームスプリッタ２４Ｘが配置され、ビームスプリッタ２４Ｘで反射された参照用ビームＬＸ２が参照回転角検出系１６Ｘに入射している。
【００７２】
図７において、Ｙ軸のレーザ干渉計もＸ軸のレーザ干渉計と対称に、干渉計本体４２Ｙ、偏光ビームスプリッタ１７Ｙ、ビームスプリッタ１９Ｙ、ミラー２１Ｙ、及び参照鏡１４Ｙより構成され、干渉計本体４２Ｙに戻される計測用ビームＬＹ１及び参照用ビームＬＹ２に基づいて、参照鏡１４Ｙを基準とした試料台８のミラー面８ｙのＹ方向への変位が計測されている。また、ビームスプリッタ１９Ｙで反射された計測用ビームＬＹ１がステージ回転角検出系１５Ｙで受光されている。
【００７３】
本例において、試料台８にＺ軸に平行な軸の周りで角度（ヨーイング量）θＺの回転が発生すると、ミラー面８ｘに入射する計測用ビームＬＸ１は点線の光路Ｑ３で示すようにＹ方向に傾斜して反射され、ステージ回転角検出系１５Ｘに入射する計測用ビームＬＸ１も同じ角度でＹ方向に傾斜する。また、試料台８にＹ軸に平行な軸の周りで角度（ローリング量）θＹの回転が発生すると、ミラー面８ｘに入射する計測用ビームＬＸ１は点線の光路Ｑ２で示すようにＺ方向に傾斜して反射され、ステージ回転角検出系１５Ｘに入射する計測用ビームＬＸ１も同じ角度でＸ方向に傾斜する。同様に、試料台８にＸ軸に平行な軸の周りで角度（ピッチング量）θＸの回転が発生すると、ミラー面８ｙに入射する計測用ビームＬＹ１は点線の光路Ｑ５で示すようにＺ方向に傾斜して反射され、ステージ回転角検出系１５Ｙに入射する計測用ビームＬＹ１も同じ角度でＹ方向に傾斜する。そこで、本例のステージ回転角検出系１５Ｘ，１５Ｙではそれぞれ入射する計測用ビームＬＸ１，ＬＹ１のＸ方向、Ｙ方向への傾斜角（振れ角）を検出する。
【００７４】
更に、この例では干渉計本体４２Ｘ，４２Ｙで共通のレーザ光源が使用されているものとして、そのレーザ光源によるレーザビームの傾斜角変動を計測するために、ミラー２１Ｘと参照鏡１４Ｘとの間に配置されている図３（ａ）に示す参照回転角検出系１６Ｘによって、参照用ビームＬＸ２のＸ方向、Ｙ方向への傾斜角を検出する。そして、ステージ回転角検出系１５Ｘ，１５Ｙで計測される計測用ビームのＸ方向、Ｙ方向への傾斜角からその参照回転角検出系１６Ｘで計測される参照用ビームＬＸ２のＸ方向、Ｙ方向への傾斜角を差し引くことによって、シングルパスのレーザ干渉計の計測用ビームＬＸ１，ＬＹ１を用いて、試料台８のヨーイング量θＺ、ローリング量θＹ、及びピッチング量θＸを正確に検出できる。
【００７５】
このようなシングルパス方式では、ミラー面８ｘ，８ｙの幅がほぼそのまま試料台８の移動ストロークとなる。
即ち、図８に示すように、試料台８のミラー面８ｘのＹ方向の幅をＹ３として、ミラー面８ｘの−Ｙ方向の端部に計測用ビームＬＸ１が照射されている状態から、２点鎖線で示すようにミラー面８ｘの＋Ｙ方向の端部に計測用ビームＬＸ１が照射される位置８Ａまで試料台８を移動したときの移動量をＹ２とすると、この移動量Ｙ２がＹ方向への移動ストロークである。そして、シングルパス方式では計測用ビームＬＸ１のＹ方向への幅は無視できる程度であるため、移動ストロークＹ２はほぼミラー面８ｘの幅Ｙ３に等しくなる。従って、従来例と同じ移動ストロークでよければ、試料台８の３軸の周りの回転角の検出機能を持たせた上で、試料台８を従来例に比べて大幅に小型、軽量化できる。
【００７６】
なお、上述の実施の形態は、ウエハ側のステージに本発明を適用したものであるが、図１のレチクルＲが載置されているレチクルステージ２の傾きを検出するために本発明を適用してもよい。例えば、本発明を適用して、レチクルステージ２のヨーイング量を変位計測用のレーザビームを利用して検出することによって、レチクルステージ２を小型、軽量化することができる。
【００７７】
また、本発明は、例えば電子線露光装置等でウエハ等の位置決めを行うステージ等にも適用することができる。このように、本発明は上述の実施の形態に限定されず、本発明の要旨を逸脱しない範囲で種々の構成を取り得る。
【００７８】
【発明の効果】
本発明のステージ装置によれば、可動ステージから戻される変位検出用の光ビームの横シフト量、又は振れ角からその可動ステージの回転角を算出しているため、特に回転角を計測するための専用の光ビームを用いることなく、その可動ステージ（可動部）の回転角を計測できる利点がある。従って、その可動ステージを小型、軽量化できるため、その可動ステージの制御性が向上し、その可動ステージを備えた装置の設置面積（フットプリント）を小さくできる。
【００７９】
また、その変位検出用の光ビームを用いて、その可動ステージにおける反射部の傾斜角を検出することによって、その反射部の曲がり量に或る程度小さいピッチの周期性がある場合でも、その曲がり量を正確に検出できる利点がある。
また、光ビーム検出系は、可動ステージから戻される光ビームの所定の第１の方向への横シフト量、又は振れ角の変化量の少なくとも一方を検出する第１の光ビーム検出系と、その可動ステージから戻される光ビームのその第１の方向に直交する第２の方向への横シフト量、又は振れ角の変化量の少なくとも一方を検出する第２の光ビーム検出系と、からなり、演算系は、その第１及び第２の光ビーム検出系の検出結果よりその可動ステージの２軸の周りの回転角を算出する場合には、変位検出用の１軸の光ビームを用いて２軸の周りの回転角を検出できる利点がある。
【００８０】
また、光ビーム検出系は、可動ステージから戻される光ビームの横シフト量を検出し、演算系は、その光ビーム検出系で検出される横シフト量、及びその干渉計で計測されるその可動ステージの変位よりその可動ステージの回転角を算出する場合には、例えばダブルパス方式の干渉計を用いた場合に容易にその可動ステージの回転角を算出できる。
【００８１】
また、光ビーム検出系で検出される光ビームの横シフト量、又は振れ角の変化量に基づいて、干渉計における参照用光ビームと計測用光ビームとの重なり量が増加するようにその光ビームの光路を補正する光路補正系を設けた場合には、変位計測を常に高いＳＮ比で行うことができ、計測精度が向上する。
また、本発明の露光装置によれば、変位計測用の２軸の光ビームを利用することによって、特に回転角を計測するための光ビームを用いることなく、マスク又は基板を載置する可動ステージ（可動部）の３軸の周りの回転角、即ちヨーイング、ローリング、及びピッチングの角度を計測できる。従って、移動ストロークが従来例と同じでよいときには、回転角の計測機能を備えた上で、従来例に比べて可動ステージが小型化、且つ軽量化でき、結果として露光装置のフットプリントを小さくできる。
【図面の簡単な説明】
【図１】本発明の実施の形態の一例で使用される投影露光装置を示す概略構成図である。
【図２】図１の投影露光装置のウエハ側のステージのレーザ干渉計システムを示す一部を簡略化した斜視図である。
【図３】（ａ）は図２の分岐合成光学系１３Ｘ、及びこの周辺の部材の構成を示す正面図、（ｂ）は図３（ａ）のダブルパスユニット１８Ｘ等を示す平面図である。
【図４】ダブルパス干渉方式によってミラー面８ｘの傾斜が計測用ビームＬＸ１の横シフトを生ずることの説明図である。
【図５】図２におけるステージ回転角検出系１５Ｘを示す構成図である。
【図６】（ａ）は、図５の計測用ビームＬＸ１の横シフトによって回折格子３５Ｂ上で２光束の集光点が移動する様子を示す図、（ｂ）は図５の計測用ビームＬＸ１の傾斜によって回折格子３５Ａ上で２光束の集光点が移動する様子を示す図である。
【図７】本発明の実施の形態の他の例におけるウエハ側のステージのレーザ干渉計システムを示す一部を簡略化した斜視図である。
【図８】図７におけるＹ方向の移動ストロークの説明図である。
【図９】（ａ）は従来の投影露光装置のウエハ側のステージを示す平面図、（ｂ）はその正面図である。
【図１０】従来のレーザ干渉計用の移動鏡の曲がり量の計測方法、及びその課題の説明に供する図である。
【図１１】図９の従来例におけるＹ方向の移動ストロークの説明図である。
【符号の説明】
Ｒ  レチクル
ＰＬ  投影光学系
Ｗ  ウエハ
２  レチクルステージ
７  主制御系
８  試料台
８ｘ，８ｙ  ミラー面
９  Ｚチルトステージ
１０  ＸＹθステージ
１１  定盤
１２Ｘ，１２Ｙ  干渉計本体
１３Ｘ，１３Ｙ  分岐合成光学系
１４Ｘ，１４Ｙ  参照鏡
１５Ｘ，１５Ｙ  ステージ回転角検出系
１６Ｘ  参照回転角検出系
１８Ｘ，１８Ｙ，２２Ｘ，２２Ｙ  ダブルパスユニット
２０Ｘ，２０Ｙ  平行平板ガラス
ＬＸ１，ＬＹ１  計測用ビーム
ＬＸ２，ＬＹ２  参照用ビーム
３０Ａ，３０Ｂ  横シフト傾斜角検出系
４３  ウエハステージ制御系
【図１】
0003832681.tif 000002
【図２】
0003832681.tif 000003
【図３】
0003832681.tif 000004
【図４】
0003832681.tif 000005
【図５】
0003832681.tif 000006
【図６】
0003832681.tif 000007
【図７】
0003832681.tif 000008
【図８】
0003832681.tif 000009
【図９】
0003832681.tif 000010
【図１０】
0003832681.tif 000011
【図１１】
0003832681.tif 000012